(57)【要約】【課題】本発明は、３Ｄ表示製品の光学検出方法及びシステムを提供する。【解決方法】該方法は、検出しようとする３Ｄ表示製品が白光及び／又は黒光を表示し、左眼レンズ及び右眼レンズは左眼画素及び右眼画素の白光信号及び／又は黒光信号をそれぞれ受信して、データ処理装置に伝送して処理し、輝度に差異がある検出結果を得るステップと、前記検出しようとする３Ｄ表示製品が原色を表示し、前記左眼レンズ及び前記右眼レンズは、左眼画素及び右眼画素の光信号をそれぞれ受信し、前記データ処理装置に伝送して処理し、色に差異がある検出結果を得るステップと、を備える。【選択図】図１
2014039248.tif 000002
【特許請求の範囲】
【請求項１】
３次元（３Ｄ）表示製品の光学検出システムであって、左眼レンズ、右眼レンズ、及びデータ処理装置を備え、
前記左眼レンズ及び前記右眼レンズは、信号線を介してデータ処理装置にそれぞれ接続され、
前記左眼レンズ及び前記右眼レンズは、検出しようとする３Ｄ表示製品の左眼画素及び右眼画素の光信号をそれぞれ受信し、且つ前記光信号を前記信号線を介して前記データ処理装置に伝送し、
前記データ処理装置は、受信した前記光信号を処理し、検出結果を得ることを特徴とする３Ｄ表示製品の光学検出システム。
【請求項２】
ベース、及び双方向滑り軸をさらに備え、前記ベースは、前記検出しようとする３Ｄ表示製品を載置することを特徴とする請求項１に記載の３Ｄ表示製品の光学検出システム。
【請求項３】
前記ベースの両側に溝が設けられ、前記双方向滑り軸は、軸体および一対のキャリッジを有し、前記キャリッジの凸起は、前記ベース両側の溝に配置され、前記双方向滑り軸は、前記凸起が溝で水平に滑ることによって、水平方向に移動することを特徴とする請求項２に記載の３Ｄ表示製品の光学検出システム。
【請求項４】
前記左眼レンズ及び前記右眼レンズは、前記双方向滑り軸の軸体に取り付けられ、前記左眼レンズ及び前記右眼レンズは、前記軸体において前記双方向滑り軸の移動方向に垂直する方向に沿って水平に移動することができることを特徴とする請求項２に記載の３Ｄ表示製品の光学検出システム。
【請求項５】
前記データ処理装置は、光電変換ユニット及び点灯制御ユニットを備え、
前記光電変換ユニットは、受信した前記光信号を処理して、検出結果を獲得し、
前記点灯制御ユニットは、前記検出しようとする３Ｄ表示製品の表示を制御することを特徴とする請求項１〜４のいずれか１項に記載の３Ｄ表示製品の光学検出システム。
【請求項６】
前記左眼レンズ及び前記右眼レンズは、受信した前記光信号を処理する光電変換ユニットを備え、
前記データ処理装置は、前記検出しようとする３Ｄ表示製品の表示を制御する点灯制御ユニットを備えることを特徴とする請求項１〜４のいずれか１項に記載の３Ｄ表示製品の光学検出システム。
【請求項７】
３次元（３Ｄ）表示製品の光学検出方法であって、
検出しようとする３Ｄ表示製品が白光及び／又は黒光を表示し、左眼レンズ及び右眼レンズは左眼画素及び右眼画素の白光信号及び／又は黒光信号をそれぞれ受信して、データ処理装置に伝送して処理し、輝度に差異がある検出結果を得るステップＡと、
前記検出しようとする３Ｄ表示製品が原色を表示し、前記左眼レンズ及び前記右眼レンズは、左眼画素及び右眼画素の光信号をそれぞれ受信し、前記データ処理装置に伝送して処理し、色に差異がある検出結果を得るステップＢと、を備えることを特徴とする３次元（３Ｄ）表示製品の光学検出方法。
【請求項８】
前記ステップＡの前に、
検出しようとする３Ｄ表示製品の検出位置を確定し、前記検出位置によって左眼レンズ及び右眼レンズの位置を調節するステップＡ’をさらに備えることを特徴とする請求項７に記載の３Ｄ表示製品の光学検出方法。
【請求項９】
前記ステップＡ’は、
前記検出しようとする３Ｄ表示製品をベース上に放置し、前記検出しようとする３Ｄ表示製品のディスプレイスクリーンをオンし、
前記検出しようとする３Ｄ表示製品のディスプレイスクリーンを複数の部分に分け、各部分の中心点を検出位置とすることを特徴とする請求項８に記載の３Ｄ表示製品の光学検出方法。
【請求項１０】
前記左眼レンズは、３Ｄ表示映像を見る観覧者の左眼が見るべき光信号を受信し、前記右眼レンズは、この観覧者の右眼が見るべき光信号を受信し、この両方のレンズは、前記検出位置を中心として、且つ両方のレンズ間の距離を人の両眼の距離に調節することを特徴とする請求項７〜９のいずれか１項に記載の３Ｄ表示製品の光学検出方法。
【請求項１１】
前記ステップＡは、
検出しようとする３Ｄ表示製品の信号入力を調節して、検出しようとする３Ｄ表示製品のディスプレイスクリーンを白光を表示させ、左眼レンズ及び右眼レンズは、それぞれ受信した白光信号をデータ処理装置に伝送し、データ処理装置は、輝度値Ａ２５５及びＢ２５５を獲得し、検出しようとする３Ｄ表示製品のディスプレイスクリーンを黒光を表示させ、左眼レンズ及び右眼レンズは、それぞれ受信した黒光信号をデータ処理装置に伝送し、データ処理装置は輝度値Ａ０及びＢ０を獲得し、
検出しようとする３Ｄ表示製品の信号入力を調節して、左眼レンズに対応する左眼画素の全ては白光及び黒光を順に表示し、右眼レンズに対応する右眼画素の全ては対応して黒光及び白光を順に表示し、左右両方のレンズは、それぞれ受信した光信号をデータ処理装置に伝送し、データ処理装置は対応して、輝度値Ａ１とＢ１、及びＡ２とＢ２を順に獲得し、
データ処理装置は、左眼レンズの高輝度差値及び低輝度差値と、右眼レンズの高輝度差値及び低輝度差値を獲得することを特徴とする請求項７〜１０のいずれか１項に記載の３Ｄ表示製品の光学検出方法。
【請求項１２】
前記原色は、赤色、緑色及び青色を備えることを特徴とする請求項７〜１１のいずれか１項に記載の３Ｄ表示製品の光学検出方法。
【請求項１３】
前記ステップＢは、
検出しようとする３Ｄ表示製品のディスプレイスクリーンの全体が赤色、緑色、青色である場合の色座標（Ｒｘ、Ｒｙ）、（Ｇｘ、Ｇｙ）、（Ｂｘ、Ｂｙ）を獲得し、
検出しようとする３Ｄ表示製品の信号入力を調節して、検出しようとする３Ｄ表示製品における左眼画素の全てを赤色、緑色、青色を順に表示させ、検出しようとする３Ｄ表示製品における右眼画素の全てを対応して赤色の反対色、緑色の反対色、青色の反対色を順に表示させ、データ処理装置は、対応して色座標（ＲＬｘ、ＲＬｙ）、（ＧＬｘ、ＧＬｙ）、（ＢＬｘ、ＢＬｙ）を順に獲得し、
検出しようとする３Ｄ表示製品の信号入力を調節して、検出しようとする３Ｄ表示製品における右眼画素の全てを赤色、緑色、青色を順に表示させ、検出しようとする３Ｄ表示製品における左眼画素の全てを対応して赤色の反対色、緑色の反対色、青色の反対色を順に表示させ、データ処理装置は、対応して色座標（ＲＲｘ、ＲＲｙ）、（ＧＲｘ、ＧＲｙ）、（ＢＲｘ、ＢＲｙ）を順に獲得し、
データ処理装置は、得られた前記色座標によって色座標の差値を得ることを特徴とする請求項１２に記載の３Ｄ表示製品の光学検出方法。
【請求項１４】
上述した前記検出しようとする３Ｄ表示製品のディスプレイスクリーンの全体が赤色、緑色、青色である場合の色座標（Ｒｘ、Ｒｙ）、（Ｇｘ、Ｇｙ）、（Ｂｘ、Ｂｙ）を得ることは、
検出しようとする３Ｄ表示製品の信号入力を調節して、検出しようとする３Ｄ表示製品のディスプレイスクリーンを、赤光、緑光、青光を順に表示させ、左眼レンズ及び右眼レンズのいずれも赤光信号、緑光信号、青光信号を順に受信し、データ処理装置は、前記赤光信号、緑光信号、青光信号によって、対応して検出しようとする３Ｄ表示製品のディスプレイスクリーンの全体が赤色、緑色、青色である場合の色座標（Ｒｘ、Ｒｙ）、（Ｇｘ、Ｇｙ）、（Ｂｘ、Ｂｙ）を得ることを特徴とする請求項１３に記載の３Ｄ表示製品の光学検出方法。
【発明の詳細な説明】
【技術分野】
【０００１】
本発明は、３次元（３Ｄ）表示製品の光学検出方法及びシステムに関する。
【背景技術】
【０００２】
３Ｄ表示が表示技術の発展方向であると看做されている。近年では、多くの企業や研究機構がその研究を行っている。日本や欧米等の先進国及び地区は、２０世紀８０年代から３Ｄ表示技術の研究を始め、９０年代からレベルの異なる研究成果を獲得した。
【発明の概要】
【発明が解決しようとする課題】
【０００３】
目前、３Ｄ表示技術は表示分野で比較的に新しい技術である。３Ｄ表示技術は、裸眼型及び眼鏡型３Ｄ表示技術に分ける。例えば、ＬＣＤのような３Ｄ表示製品を製造過程において、３Ｄ表示製品に対する客観的な検出方法が未だ現れていなかった。従来、一般的には、映像を表示する３Ｄ表示製品を肉眼で観察することによって、３Ｄ表示製品を検出した。然し、このような方法は、検出する人の主観的な影響を受けやすく、根拠となる定量化されたデータもなく、統一的で客観的な確定する検出データを形成できない。従って、その検出結果の精度が低い。
【課題を解決するための手段】
【０００４】
本発明は、３Ｄ表示製品を検出して、客観的で正確な検出データを得ることができ、３Ｄ表示製品の定量化検出を実現できる３Ｄ表示製品の光学検出方法及びシステムを提供する。
【０００５】
本発明の一方面は、３次元（３Ｄ）表示製品の光学検出システムであって、左眼レンズ、右眼レンズ、及びデータ処理装置を備え、前記左眼レンズ及び前記右眼レンズは、信号線を介してデータ処理装置にそれぞれ接続され、前記左眼レンズ及び前記右眼レンズは、検出しようとする３Ｄ表示製品の左眼画素及び右眼画素の光信号をそれぞれ受信し、且つ前記光信号を前記信号線を介して前記データ処理装置に伝送し、前記データ処理装置は、受信した前記光信号を処理して、検出結果を得る。
【０００６】
本発明の他の方面は、３次元（３Ｄ）表示製品の光学検出方法であって、検出しようとする３Ｄ表示製品は白光及び／又は黒光を表示し、左眼レンズ及び右眼レンズは左眼画素及び右眼画素の白光信号及び／又は黒光信号をそれぞれ受信して、データ処理装置に伝送して処理し、輝度に差異がある検出結果を得るステップＡと、前記検出しようとする３Ｄ表示製品が原色を表示し、前記左眼レンズ及び前記右眼レンズは、左眼画素及び右眼画素の光信号をそれぞれ受信し、前記データ処理装置に伝送して処理して、色に差異がある検出結果を得るステップＢと、を備える。
【発明の効果】
【０００７】
本発明の実施形態に係る３Ｄ表示製品の光学検出方法及びシステムによれば、３Ｄ表示製品の検出の正確度及び制御可能性が非常に向上され、人の主観的な要素の影響が低下される。
【図面の簡単な説明】
【０００８】
【図１】本発明に係る３Ｄ表示製品の光学検出システムの構造を示す概略図である。
【図２】３Ｄ表示の原理の概略図である。
【発明を実施するための形態】
【０００９】
本発明の実施形態では、検出しようとする３Ｄ表示製品が白光及び／又は黒光を表示し、左眼レンズ及び右眼レンズは、左眼画素及び右眼画素の白光信号及び／又は黒光信号をそれぞれ受信し、且つデータ処理装置に伝送して処理することで、輝度に差異がある検出結果を獲得し、前記検出しようとする３Ｄ表示製品が原色を表示し、前記左眼レンズ及び前記右眼レンズは、左眼画素及び右眼画素の光信号をそれぞれ受信し、且つ前記データ処理装置に伝送して処理することで、色に差異がある検出結果を獲得する。
【００１０】
以下、図面及び具体的な実施形態によって本発明をさらに詳しく説明する。
【００１１】
図１は、本発明の１つの実施形態に係る３Ｄ表示製品の光学検出システムの構造を示す概略図である。図１に示すように、該システムは、ベース１０、双方向滑り軸１１、左眼レンズ１２、右眼レンズ１３、及びデータ処理装置１４を備える。ベース１０は、検出しようとする３Ｄ表示製品１５を載置するものであり、検出しようとする３Ｄ表示製品１５は、ベース１０上に平らに放置される。ベース１０の両側に溝１０１が設けられる。双方向滑り軸１１は、軸体１１１及び一対のキャリッジ１１２を有し、該キャリッジ１１２の凸起１１２１は、ベース１０の両側に設けられる溝１０１に嵌められ、該凸起１１２１は、双方向滑り軸１１全体を図におけるＹ方向に沿って水平に移動させるように、溝１０１で水平に滑られ、これによって、検出しようとする３Ｄ表示製品１５の異なる画素ポイント（サンプルポイント）が検出される。左眼レンズ１２及び右眼レンズ１３は、双方向滑り軸１１の軸体１１１に設けられ、軸体１１１上における双方向滑り軸１１の移動方向に垂直する方向（図におけるＸ方向）に沿って水平に移動することができる。左眼レンズ１２及び右眼レンズ１３は、信号線、例えば、光ケーブル１６によってデータ処理装置１４にそれぞれ接続される。左眼レンズ１２及び右眼レンズ１３は、検出しようとする３Ｄ表示製品の左眼画素及び右眼画素の光信号をそれぞれ受信し、受信した光信号を光ケーブル１６を介してデータ処理装置１４に伝送する。データ処理装置１４は、受信した光信号を処理し、検出結果を得る。データ処理装置１４は、光電変換ユニット１４１及び点灯制御ユニット１４２を備える。光電変換ユニット１４１は、受信した前記光信号を処理し、関連する検出結果を得るものである。点灯制御ユニット１４２は、検出しようとする３Ｄ表示製品１５の表示を制御し、例えば、３Ｄ表示製品１５をオン（即ち、明るくする）又はオフする。
【００１２】
１つの例示として、左眼レンズ１２及び右眼レンズ１３自身は、それぞれ光電変換ユニットを有し、そして、例えば、ケーブルのような信号線によって、変換後の電気信号をデータ処理装置１４に伝送して、対応するデータを処理して得る。
【００１３】
上述したシステムに基づき、本発明の１つの実施形態は、３Ｄ表示製品の光学検出方法をさらに提供する。本発明の実施形態に係る３Ｄ表示製品の光学検出方法は、以下のステップを備える。
【００１４】
ステップ２０１、検出しようとする３Ｄ表示製品の検出位置を確定し、この検出位置によって左眼レンズ及び右眼レンズの位置を調節する。
【００１５】
例えば、３Ｄ表示製品を検出するとき、検出しようとする３Ｄ表示製品１５をベース１０上に放置し、データ処理装置１４の点灯制御ユニット１４２により、検出しようとする３Ｄ表示製品１５のディスプレイをオンして、３Ｄ表示製品１５のディスプレイが正常の３Ｄ表示を行う。１つの３Ｄ表示製品に対して、もっと全面的な検出結果を得るために、複数のサンプルポイントを検出する必要がある。例えば、３Ｄ表示製品のディスプレイを、縦横の両方向でそれぞれ３つの部分に平均的に分けて、３×３の合計で９つの部分が得られ、９つの部分の各部分の中心点を検出位置としてもよい。この検出位置で３Ｄ表示製品のディスプレイを検出することで、９つのサンプルポイントの検出が実現される。
【００１６】
左眼レンズＡ及び右眼レンズＢは、ともに広視野角レンズを用いることができる。ここで、左眼レンズＡは、人の左眼を模擬し、実際の３Ｄ表示映像における左眼が見るべき光信号を受信し、右眼レンズＢは、人の右眼を模擬し、実際の３Ｄ表示映像における右眼が見るべき光信号を受信する。検出位置を確定した後、該検出位置を中心点とし、２つのレンズ間の距離を、人の両眼間の距離（瞳孔距離）に近接する距離に調節し、例えば、アジア人の両眼の距離が約６０ｍｍである場合、左右の２つのレンズと検出位置との間の距離がともに３０ｍｍになる。３Ｄ結像原理によって、図２に示すように、３Ｄ表示製品は、裸眼型３Ｄ表示製品であり、ディスプレイスクリーン２００、及びディスプレイスクリーンの前側に設けられる視差バリア３００を備える。視差バリア３００の存在によって、左眼及び右眼をそれぞれ模擬する左眼レンズＡ及び右眼レンズＢは、３Ｄ表示製品のディスプレイスクリーンにおける、例えば、奇数列画素及び偶数列画素のみをそれぞれ見ることができる。それらを左眼画素ａ及び右眼画素ｂと称する。３Ｄ表示の原理は、左右の両眼間の視差によって、奇数列画素及び偶数列画素を異なる情報を表示させるように制御し、左右眼が異なる信号を受信した後、人の頭脳で組み合わせて立体的な視覚を得て、３Ｄ表示の効果が実現される。
【００１７】
図２は視差バリアで３Ｄ表示効果を実現する表示製品を例として説明したが、本発明はそれに限らない。例えば、本発明の実施形態に係る３Ｄ表示製品は、柱状レンズ技術に基づく３Ｄ表示製品であってもよく、また、例えば、多層ディスプレイ（ｍｕｌｔｉ−ｌａｙｅｒ ｄｉｓｐｌａｙ、ＭＬＤ）に基づく３Ｄ表示製品等であってもよい。該ディスプレイスクリーンは、例えば、液晶ディスプレイスクリーン、プラズマディスプレイスクリーン、電子インクディスプレイスクリーン等であってもよい。
【００１８】
また、本発明の他の実施形態では、左眼レンズＡと右眼レンズＢとの位置関係は、観覧者を模擬するように、両者間に人の目の距離をあけることに限らず、両者を分離するように設けてもよく、左眼画素及び右眼画素の光をそれぞれ受光すればよい。
【００１９】
ステップ２０２、検出しようとする３Ｄ表示製品のディスプレイスクリーンをオンした後、検出しようとする３Ｄ表示製品は、白光及び／又は黒光を表示し、左眼レンズ及び右眼レンズは、白光信号及び／又は黒光信号を受信し、データ処理装置に伝送して処理することで、輝度に差異がある検出結果を得る。
【００２０】
例えば、データ処理装置１４の点灯制御ユニット１４２は検出しようとする３Ｄ表示製品１５のディスプレイスクリーンをオンした後、まず、検出しようとする３Ｄ表示製品１５の信号入力を調節し、検出しようとする３Ｄ表示製品１５のディスプレイスクリーンを白光を表示させ、即ち、グレースケール範囲が０〜２５５（即ち、輝度が８ビットで示す）である場合、ディスプレイスクリーンのグレースケールを２５５に調節し、このとき、検出しようとする３Ｄ表示製品のディスプレイスクリーンの全ての画素が最大の輝度になる。左眼レンズＡ及び右眼レンズＢは、白光信号をそれぞれ受信し、この白光信号を光ケーブル１６を介してデータ処理装置１４に伝送し、データ処理装置１４における光電変換ユニット１４１は、この白光信号によって輝度値Ａ２５５及びＢ２５５を得る。同じように、検出しようとする３Ｄ表示製品１５のディスプレイスクリーンを黒光を表示させ、即ち、ディスプレイスクリーンのグレースケールを０に調節し、全ての画素が最小輝度になる。左眼レンズＡ及び右眼レンズＢは、黒光信号をそれぞれ受信し、この黒光信号を光ケーブル１６を介してデータ処理装置１４に伝送し、データ処理装置１４における光電変換ユニット１４１はこの黒光信号によって輝度値Ａ０及びＢ０を得る。
【００２１】
そして、検出しようとする３Ｄ表示製品１５の信号入力を調節し、左眼レンズＡに対応する全ての左眼画素に白光を表示させ、即ち、ディスプレイスクリーンにおける左眼レンズＡに対応する左眼画素のグレースケールを２５５に調節するとともに、右眼レンズＢに対応する全ての右眼画素に黒光を表示させ、即ち、ディスプレイスクリーンにおける右眼レンズＢに対応する右眼画素のグレースケールを０に調節する。左右の２つのレンズＡ、Ｂは、対応する光信号をそれぞれ受信し、受信した光信号を光ケーブル１６を介してデータ処理装置１４に伝送し、データ処理装置１４における光電変換ユニット１４１は左右側のレンズによって光信号をそれぞれ受信して輝度値Ａ１及びＢ１を得る。光電変換ユニットは、高輝度差値△Ａ（ｗｈｉｔｅ）＝ａｂｓ（Ａ１−Ａ２５５）、高輝度差値△Ｂ（ｂｌａｃｋ）＝ａｂｓ（Ｂ１−Ｂ０）を計算する。同じように、左眼レンズＡに対応する全ての左眼画素に黒光を表示させ、右眼レンズＢに対応する全ての右眼画素に白光を表示させ、左右両側のレンズＡ及びＢは、光信号をそれぞれ受信し、受信した光信号を光ケーブル１６を介してデータ処理装置１４に伝送し、データ処理装置１４における光電変換ユニット１４１は、左右側のレンズがそれぞれ受信した光信号によって輝度値Ａ２及びＢ２を得る。光電変換ユニットは、低輝度差値△Ａ（ｂｌａｃｋ）＝ａｂｓ（Ａ２−Ａ０）、低輝度差値△Ｂ（ｗｈｉｔｅ）＝ａｂｓ（Ｂ２−Ｂ２５５）を計算する。
【００２２】
これによって、左眼レンズＡの高輝度差値△Ａ（ｗｈｉｔｅ）と低輝度差値△Ａ（ｂｌａｃｋ）、及び右眼レンズＢの高輝度差値△Ｂ（ｗｈｉｔｅ）と低輝度差値△Ｂ（ｂｌａｃｋ）が得られる。輝度差値は、３Ｄ表示製品が３Ｄ映像を放送するときの輝度の精度を示す。理論的に言うと、左眼を模擬する左眼レンズＡは、左眼画素の光信号のみを受信し、検出結果が反映されたのは全部が左眼画素の輝度であり、右眼を模擬する右眼レンズＢは、右眼画素の光信号のみを受信し、検出結果が反映されたのは全部が右眼画素の輝度である。上述した輝度差値は、レンズが受信した光信号がレンズに対応する画素からのものであるかを反応する。左眼レンズＡが左眼画素に完全に位置合わせなく、一部の右眼画素も有する場合、検出結果には、△Ａ（ｗｈｉｔｅ）及び△Ａ（ｂｌａｃｋ）が顕著に大きくなる状況が現れ、３Ｄ表示製品の関連設計に問題があって、改善及び調節する必要があることを説明する。例えば、検出した結果、高輝度差値△Ａ（ｗｈｉｔｅ）、低輝度差値△Ａ（ｂｌａｃｋ）、右眼レンズの高輝度差値△Ｂ（ｗｈｉｔｅ）、低輝度差値△Ｂ（ｂｌａｃｋ）において、３Ｄ表示製品の輝度値の３％よりも大きい差値がある場合、該差値が大きいと認められ、３Ｄ表示製品を調節して改善する必要がある。前記３Ｄ表示製品の輝度値は、製品および輝度に対する要求に従って大きく異なり、例えば、一般的に、輝度値が２００ｎｉｔ、２５０ｎｉｔまたは３５０ｎｉｔ等である。
【００２３】
グレースケールは、８ビットに限らず、例えば、１６ビット等で示してもよく、その数値は０〜６５５３６であってもよい。本発明はこれに限らない。
【００２４】
ステップ２０３、検出しようとする３Ｄ表示製品は、赤画素、緑色の画素及び青画素を表示し、左眼レンズ及び右眼レンズは、画素の光信号を受信し、データ処理装置に伝送して処理することで、色に差異がある検出結果を得る。
【００２５】
本実施形態の３Ｄ表示製品では、各画素は、赤、緑及び青の画素３つの原色信号を備えるが、本発明がこれに限らない。例えば、各画素は、赤、緑、青及び黄の画素（即ち、ＲＧＢＹ）、或いは、青、マゼンタ、黄、黒の画素（即ち、ＣＭＹＫ）から構成してもよい。以下、各画素が赤、緑及び青の画素を有することを例として説明する。
【００２６】
人の目が３Ｄ表示製品のディスプレイスクリーンを実際に見るとき、光の輝度に対して視覚的な反応を有するだけでなく、色の差異に対してさらに敏感であるため、２つのレンズ間の色の差異を検出する必要もある。
【００２７】
まず、検出しようとする３Ｄ表示製品１５の信号入力を調節し、検出しようとする３Ｄ表示製品１５のディスプレイスクリーンを赤光を表示させ、即ち、Ｒ、Ｇ、Ｂの３つの画素に対応するグレースケールがそれぞれ２５５、０、０である。これによって、左眼レンズＡ及び右眼レンズＢはともに赤光信号を受信し、この赤光信号を光ケーブル１６を介してデータ処理装置１４に伝送する。データ処理装置１４における光電変換ユニット１４１は、この赤光信号によって、検出しようとする３Ｄ表示製品１５のディスプレイスクリーンのディスプレイスクリーン全体が赤いである場合の色座標（Ｒｘ、Ｒｙ）を得る。また、検出しようとする３Ｄ表示製品１５の信号入力を調節し、検出しようとする３Ｄ表示製品１５のディスプレイスクリーンを緑色の光を表示させ、即ち、Ｒ、Ｇ、Ｂの３つの画素に対応するグレースケールがそれぞれ０、２５５、０である。これによって、左眼レンズＡ及び右眼レンズＢはともに緑色の光信号を受信し、該緑色の光信号を光ケーブル１６を介してデータ処理装置１４に伝送する。データ処理装置１４における光電変換ユニット１４１は、該緑色の光信号によって、検出しようとする３Ｄ表示製品１５のディスプレイスクリーン全体が緑色である場合の色座標（Ｇｘ、Ｇｙ）を得る。また、検出しようとする３Ｄ表示製品１５の信号入力を調節し、検出しようとする３Ｄ表示１５のディスプレイ製品を青光を表示させ、即ち、Ｒ、Ｇ、Ｂの３つの画素に対応するグレースケールがそれぞれ０、０、２５５である。これによって、左眼レンズＡ及び右眼レンズＢはともに青光信号を受信し、この青光信号を光ケーブル１６を介してデータ処理装置１４に伝送する。データ処理装置１４における光電変換ユニット１４１は、該青色光信号によって、検出しようとする３Ｄ表示製品１５のディスプレイスクリーン全体が青である場合の色座標（Ｂｘ、Ｂｙ）を得る。本発明の実施形態では、各色座標はｘ及びｙとの２つの値からなる。
【００２８】
そして、検出しようとする３Ｄ表示製品１５の信号入力を調節し、検出しようとする３Ｄ表示製品１５における左眼レンズＡに対応する左眼画素にいずれも赤色を表示させ、即ち、Ｒ、Ｇ、Ｂの３つの画素に対応するグレースケールがそれぞれ２５５、０、０であり、検出しようとする３Ｄ表示製品１５における右眼レンズＢに対応する右眼画素にいずれも赤色の反対色を表示させ、即ち、Ｒ、Ｇ、Ｂの３つの画素に対応するグレースケールがそれぞれ０、２５５、２５５である。これによって、左眼レンズＡが赤画素の光信号を受信し、データ処理装置１４に伝送する。データ処理装置１４の光電変換ユニット１４１は、この赤画素の光信号によって、赤色に対応する色座標（ＲＬｘ、ＲＬｙ）を得る。検出しようとする３Ｄ表示製品１５の信号入力を調節し、検出しようとする３Ｄ表示製品１５における左眼レンズＡに対応する左眼画素にいずれも緑色を表示させ、即ち、Ｒ、Ｇ、Ｂの３つの画素に対応するグレースケールがそれぞれ０、２５５、０であり、検出しようとする３Ｄ表示製品１５における右眼レンズＢに対応する右眼画素にいずれも緑色の反対色を表示させ、即ち、Ｒ、Ｇ、Ｂの３つの画素に対応するグレースケールがそれぞれ２５５、０、２５５である。これによって、左眼レンズＡが緑色画素の光信号を受信し、データ処理装置１４に伝送する。データ処理装置１４の光電変換ユニット１４１は、緑画素の光信号によって、緑色に対応する色座標（ＧＬｘ、ＧＬｙ）を得る。また、検出しようとする３Ｄ表示製品１５の信号入力を調節し、検出しようとする３Ｄ表示製品１５における左眼レンズＡに対応する左眼画素にいずれも青色を表示させ、即ち、Ｒ、Ｇ、Ｂの３つの画素に対応するグレースケールがそれぞれ０、０、２５５であり、検出しようとする３Ｄ表示製品１５において、右眼レンズＢに対応する右眼画素にいずれも青色の反対色に表示させ、即ち、Ｒ、Ｇ、Ｂの３つの画素に対応するグレースケールがそれぞれ２５５、２５５、０である。これによって、左眼レンズＡは青色の画素光信号を受信し、データ処理装置１４に伝送する。データ処理装置１４の光電変換ユニット１４１は、青色の画素の光信号によって、青色に対応する色座標（ＢＬｘ、ＢＬｙ）を得る。
【００２９】
そして、同じように、検出しようとする３Ｄ表示製品１５の信号入力を調節し、検出しようとする３Ｄ表示製品１５における右眼レンズＢに対応する右眼画素にいずれも赤色を表示させ、即ち、Ｒ、Ｇ、Ｂの３つの画素に対応するグレースケールがそれぞれ２５５、０、０であり、検出しようとする３Ｄ表示製品１５における左眼レンズＡに対応する左眼画素にいずれも赤色の反対色を表示させ、即ち、Ｒ、Ｇ、Ｂの３つの画素に対応するグレースケールがそれぞれ０、２５５、２５５である。これによって、右眼レンズＢが赤色の画素の光信号を受信してデータ処理装置１４に伝送する。データ処理装置１４の光電変換ユニット１４１は、赤色画素の光信号によって、赤色に対応する色座標（ＲＲｘ、ＲＲｙ）を得る。また、検出しようとする３Ｄ表示製品１５の信号入力を調節して、検出しようとする３Ｄ表示製品１５における右眼レンズＢに対応する右眼画素にいずれも緑色を表示させ、即ち、Ｒ、Ｇ、Ｂの３つの画素に対応するグレースケールがそれぞれ０、２５５、０であり、検出しようとする３Ｄ表示製品１５における左眼レンズＡに対応する左眼画素にいずれも緑色の反対色を表示させ、即ち、Ｒ、Ｇ、Ｂの３つの画素に対応するグレースケールがそれぞれ２５５、０、２５５である。これによって、右眼レンズＢが緑色の画素の光信号を受信して、データ処理装置１４に伝送する。データ処理装置１４の光電変換ユニットは、緑色の画素の光信号によって、緑色に対応する色座標（ＧＲｘ、ＧＲｙ）を得る。また、検出しようとする３Ｄ表示製品１５の信号入力を調節して、検出しようとする３Ｄ表示製品１５における右眼レンズＢに対応する右眼画素にいずれも青色を表示させ、即ち、Ｒ、Ｇ、Ｂの３つの画素に対応するグレースケールがそれぞれ０、０、２５５であり、検出しようとする３Ｄ表示製品１５における左眼レンズＡに対応する左眼画素にいずれも青色の反対色を表示させ、即ち、Ｒ、Ｇ、Ｂの３つの画素に対応するグレースケールがそれぞれ２５５、２５５、０である。これによって、右眼レンズＢが青色の画素の光信号を受信し、データ処理装置１４に伝送し、データ処理装置１４の光電変換ユニット１４１は、青色の画素の光信号によって、青色に対応する色座標（ＢＲｘ、ＢＲｙ）を得る。
【００３０】
最後に、データ処理装置１４の光電変換ユニット１４１は、左眼レンズＡの色座標の差値を得る。即ち、
赤色：△ｘ（Ｒｅｄ）＝ａｂｓ（Ｒｘ−ＲＬｘ）、△ｙ（Ｒｅｄ）＝ａｂｓ（Ｒｙ−ＲＬｙ）、
緑色：△ｘ（Ｇｒｅｅｎ）＝ａｂｓ（Ｇｘ−ＧＬｘ）、△ｙ（Ｇｒｅｅｎ）＝ａｂｓ（Ｇｙ−ＧＬｙ）、
青色：△ｘ（Ｂｌｕｅ）＝ａｂｓ（Ｂｘ−ＢＬｘ）、△ｙ（Ｂｌｕｅ）＝ａｂｓ（Ｂｙ−ＢＬｙ）、
データ処理装置１４の光電変換ユニット１４１は、右眼レンズの色座標の差値を得る。即ち、
赤色：△ｘ（Ｒｅｄ）＝ａｂｓ（Ｒｘ−ＲＲｘ）、△ｙ（Ｒｅｄ）＝ａｂｓ（Ｒｙ−ＲＲｙ）、
緑色：△ｘ（Ｇｒｅｅｎ）＝ａｂｓ（Ｇｘ−ＧＲｘ）、△ｙ（Ｇｒｅｅｎ）＝ａｂｓ（Ｇｙ−ＧＲｙ）、
青色：△ｘ（Ｂｌｕｅ）＝ａｂｓ（Ｂｘ−ＢＲｘ）、△ｙ（Ｂｌｕｅ）＝ａｂｓ（Ｂｙ−ＢＲｙ）。
【００３１】
左眼レンズＡ及び右眼レンズＢの色座標の差値を色の差異の検出結果として、レンズの３Ｄ表示製品に対する異なる色の分布での色の特徴の差異を反応し、さらに、左眼レンズＡ及び右眼レンズＢが左眼画素及び右眼画素とちょうどマッチングしているかを反応する。色座標の差値が小さいほど、３Ｄ製品の光学効果がよくなり、人の目が３Ｄ表示製品を見るときの３Ｄ効果が本物を見るようになり、且つ他の存在してはいけない干渉がない。ここで、定量化を便利にするように、ｘ、ｙ座標をｕ’、ｖ'座標に転換することができる。ｕ'、ｖ'座標に対して、例えば、色座標の差値△ｕ'ｖ'≦０.０２であるとき、３Ｄ表示製品の調整及び改善をしなくてもよい。
【００３２】
ステップ２０１〜ステップ２０３を循環して実行することで、表示製品の複数のサンプルポイントに対する検出を完成し、さらに全面的な検出結果を得ることができる。
【００３３】
以上は、本発明の好ましい実施形態に過ぎず、本発明の保護範囲を制約するものではない。本発明の精神及び趣旨内のいずれの補正、均等的な取替え及び改善などは、本発明の保護範囲に入るべきである。
【符号の説明】
【００３４】
１０  ベース
１１  双方向滑り軸
１２  左眼レンズ
１３  右眼レンズ
１４  データ処理装置
１５  検出しようとする３Ｄ表示製品
１６  光ケーブル
【図１】
2014039248.tif 000003
【図２】
2014039248.tif 000004